(57)【特許請求の範囲】
【請求項１】
装置本体に取り付けられる取付部材と、
この取付部材に、その回動基端側の一端部がヒンジピンを介して上下方向に回動自在に枢支連結された支持部材と、
この支持部材の上側に重なり合い該支持部材の回動先端側の他端部に、その回動基端側が互いに平行な上下２本の第１支持ピン及び第２支持ピンを介して上下方向に回動自在に枢支連結されて、前記原稿圧着板の回動基端側に取り付けられるリフト部材と、
このリフト部材の回動基端側に一体的に取り付けられ、前記第１支持ピンが挿通する縦長の垂直溝と、この垂直溝の下端に直交状に連通して前記リフト部材の回動基端側方向へ延設されて前記第２支持ピンが挿通する横長の水平溝とを有する作動部材と、
この作動部材と前記取付部材の支持部材との枢支連結位置とは異なる位置との間に、前記支持部材を前記原稿圧着板の開き方向へ付勢させ、かつ前記原稿圧着板を取り付けた前記リフト部材を前記支持部材と重なり合う方向へ付勢するように装着された圧縮コイルばねと、
を備えていることを特徴とする原稿圧着板開閉装置。
【請求項２】
前記リフト部材が前記支持部材の両側方を覆う両側板を備え
、この両側板の回動基端側に、前記リフト部材の回動時に該リフト部材の回動を許容するよう前記第１支持ピン及び第２支持ピンのそれぞれの両端が遊嵌する開口が形成されている請求項１記載の原稿圧着板開閉装置。
【請求項３】
前記開口が前記作動部材の垂直溝及び水平溝と略同一の垂直
溝及び水平溝からなるＬ形状に形成されている請求項２記載の原稿圧着板開閉装置。
【発明の詳細な説明】
【０００１】
【発明の属する技術分野】
本発明は、複写機や印刷機等に用いられ、とくに厚物原稿を圧着するのに好適に用いられるリフト機能付きの原稿圧着板開閉装置の改良に関する。
【０００２】
【従来の技術】
この種の原稿圧着板開閉装置として、例えば、実開平６−８２６４９号公報に開示されているようなものがある。この原稿圧着板開閉装置は、図５に示すように、複写機等の装置本体１に取り付けられる取付部材５と、この取付部材５の両側板に一端部側をヒンジピン６を介して回動自在に枢支連結された支持部材７と、この支持部材７の上側に重なり合い該支持部材７の他端部側に支持ピン３０を介して回動自在に枢支連結され、原稿圧着板２の回動基端側に取り付けられるリフト部材１１と、このリフト部材１１の支持部材７に対する枢支連結側であってリフト部材１１の回動時に支持ピン３０を支点に旋回する位置の両側板間に取り付けられた作動ピン部材３１と、この作動ピン部材３１と取付部材５側の支持部材７の枢支連結位置とは異なる位置との間に支持部材７を原稿圧着板２の開き方向へ付勢させ、かつ原稿圧着板２を取り付けたリフト部材１１を支持部材７と重なり合う方向へ付勢保持するように弾設した圧縮コイルばね２４とで構成すると共に、支持部材７の両側板にはリフト部材１１が支持ピン３０を支点として回動する時に、作動ピン部材３１の旋回を許容する切欠３２を設けてある。
【０００３】
しかるときは、原稿圧着板２を開いて手を離しても、リフト部材１１は圧縮コイルばね２４の弾力によって支持部材７と重なり合う方向へ押圧されているので、原稿圧着板２を開いた状態で安定保持でき、かつ、この開いた状態の原稿圧着板２を反転させることなく、維持させることができる。この圧縮コイルばね２４によるリフト部材１１に対する押圧力は、原稿圧着板２を閉じる際に手で押し下げても原稿圧着板２を反転させることなく維持するが、原稿が本のような厚物原稿の場合には、原稿圧着板２の一部が厚物原稿Ｐに当接したところで閉じ方向ヘ力を加えると、作動ピン部材３１が圧縮コイルばね２４を押圧し、その圧縮コイルばね２４の弾力に抗してリフト部材１１が支持ピン３０回りにＢ矢視方向へ反転し、原稿圧着板２で厚物原稿Ｐの上を略平行に覆うことができる、というものである。
【０００４】
【発明が解決しようとする課題】
しかるに、上記構成の原稿圧着板開閉装置では、厚物原稿Ｐの圧着時にリフト部材１１が支持ピン３０回りにＢ矢視方向へ反転してリフトするが、その反転角が大きいと原稿圧着板２が装置本体１上に対し厚物原稿Ｐを押圧しながら該厚物原稿Ｐを原稿圧着板２の回動基端側方向（Ａ矢視方向）へ引き摺る現象が生じることになり、このため複写の位置ずれを起こす原因になる。リフト部材１１の反転角が大きくなるほど厚物原稿ＰのＡ矢視方向への引き摺り現象が顕著になる。その際、装置本体１上の所定位置に凸部３３が設けられている場合は、その凸部３３により原稿ＰのＡ矢視方向への引き摺りが規制されるが、この場合は厚物原稿Ｐの背表紙Ｑが原稿圧着板２との摩擦により傷みやすくなる、という問題が生じる。
【０００５】
本発明の目的は、このような問題を解消するためになされたものであり、厚物原稿の圧着時におけるリフト部材の反転角はできる限り少なくて足りようにすることにより厚物原稿の引き摺り、複写の位置ずれを抑制でき、厚物原稿の背表紙の損傷防止を図れる原稿圧着板開閉装置を提供することにある。
【０００６】
【課題を解決するための手段】
本発明は、図１〜図４に例示するように、装置本体１に取り付けられる取付部材５と、この取付部材５に、その回動基端側の一端部がヒンジピン６を介して上下方向に回動自在に枢支連結された支持部材７と、この支持部材７の上側に重なり合い該支持部材７の回動先端側の他端部に、その回動基端側が互いに平行な上下２本の第１支持ピン９及び第２支持ピン１０を介して上下方向に回動自在に枢支連結されて、原稿圧着板２の回動基端側に取り付けられるリフト部材１１と、このリフト部材１１の回動基端側に一体的に取り付けられ、前記第１支持ピン９が挿通する縦長の垂直溝１９と、この垂直溝１９の下端に直交状に連通してリフト部材１１の回動基端側方向へ延設されて前記第２支持ピン１０が挿通する横長の水平溝２０とを有する作動部材８と、この作動部材８と前記取付部材５の支持部材７との枢支連結位置とは異なる位置との間に、前記支持部材７を前記原稿圧着板２の開き方向へ付勢させ、かつ前記原稿圧着板２を取り付けた前記リフト部材１１を前記支持部材７と重なり合う方向へ付勢するように装着された圧縮コイルばね２４と、を備えていることに特徴を有するものである。
【０００７】
この場合において、前記リフト部材１１は前記支持部材７の両側方を覆う両側板１１ｂ，１１ｂを備え、この両側板の回動基端側に、前記リフト部材１１の回動時に該リフト部材１１の回動を許容するよう前記第１支持ピン９及び第２支持ピン１０のそれぞれの両端が遊嵌する開口２１を形成することができる。前記開口２１は前記作動部材８の垂直溝及び水平溝と略同一の垂直溝２１ａ及び水平溝２１ｂからなるＬ形状に形成することができる。
【０００８】
【作用】
原稿圧着板２が水平姿勢に閉じている平常状態では、第１支持ピン９は作動部材８の垂直溝１９内の上端部に、また第２支持ピン１０は垂直溝１９内の下端部すなわち水平溝２０内のリフト部材回動先端側方向の一端部寄りにそれぞれ位置している。
【０００９】
この状態から原稿圧着板２を開いて手を離しても、リフト部材１１は圧縮コイルばね２４の弾力によって支持部材７と重なり合う方向へ押圧されているので、図５に示す従来の原稿圧着板開閉装置の場合と同様に、原稿圧着板２を開いた状態で安定保持でき、かつ、この開いた状態の原稿圧着板２を反転させることなく、維持させることができる。
【００１０】
この圧縮コイルばね２４によるリフト部材１１に対する押圧力は、原稿圧着板２を閉じる際に手で押し下げても原稿圧着板２を反転させることなく維持するが、原稿Ｐが本などのような厚物である場合には、原稿圧着板２の一部が厚物原稿Ｐに当接したところで閉じ方向ヘ力を加えると、リフト部材１１が作動部材８で圧縮コイルばね２４を押圧し、その弾力に抗して第１，２支持ピン９，１０回りに反転する。このリフト部材１１の反転時には、作動部材８が垂直溝１９を第１支持ピン９の上方へスライドさせる上昇移動と、これと同時に水平溝２０を第２支持ピン１０よりリフト部材１１の回動先端側方向へスライドさせる水平移動との複合により楕円軌道を描きながら反転する。このリフト部材１１の反転により原稿圧着板２がこれの回動基端側をリフトアップされて厚物原稿Ｐに対して略平行となり、厚物原稿全体を装置本体上に均等な圧力分布で圧着することになる。
【００１１】
このようにリフト部材１１の反転時には作動部材８の垂直溝１９が第１支持ピン９に沿って上昇移動するため、そのリフト部材１１を厚物原稿Ｐの厚みに見合った高さにまで反転させるに要する回転角は、図５に示す従来の原稿圧着板開閉装置の場合に要するリフト部材の反転角に比較して、作動部材８の垂直溝１９が第１支持ピン９に沿って上昇移動する分だけ少なくて足りることになる。このようにリフト部材の反転角が少なくて足りることから、厚物原稿ＰのＡ矢視方向への引き摺りをできる限り抑制することができ、また背表紙Ｑの損傷を防止できる。
【００１２】
【発明の実施の形態】
以下、本発明の実施形態を図面に基づいて説明する。図１は本発明に係る原稿圧着板開閉装置を全閉状態で示す縦断側面図、図２は図１の原稿圧着板開閉装置を厚物原稿圧着状態で示す縦断側面図、図３は図２の厚物原稿よりも更に厚い厚物原稿を圧着状態で示す縦断側面図、図４は図１の原稿圧着板開閉装置の分解斜視図である。
【００１３】
図１において、１は複写機等の装置本体、２は原稿圧着板、３は原稿圧着板２を装置本体１に対し上下方向に開閉回動自在に取り付けた原稿圧着板開閉装置である。
【００１４】
原稿圧着板開閉装置３は、装置本体１にビス４等で取り付けられた取付部材５と、この取付部材５に、その回動基端側がヒンジピン６を介して上下方向に回動自在に枢支連結された支持部材７と、この支持部材７の回動先端側に、その回動基端側の一端部が作動部材８と互いに平行な上下２本の第１，２支持ピン９，１０を介して上下方向に回動自在に枢支連結され、原稿圧着板２の回動基端側に図外のビス等で取り付けられるリフト部材１１などから構成されている。
【００１５】
図４に示すように、取付部材５は、装置本体１にビス４等で取り付けられる金属製の底板５ａと、この底板５ａの両端から立ち上げた両側板５ｂ，５ｂとを有する断面略溝形状に形成され、両側板５ｂ，５ｂの上端側にヒンジピン枢支孔１２，１２を設けている。さらに、両側板５ｂ，５ｂの、ヒンジピン枢支孔１２，１２よりも下方でかつ原稿圧着板２の回動先端側方向寄りに偏した位置には、ストッパーピン支持孔１３，１３を設けている。
【００１６】
図４に示すように、支持部材７は、金属製の上板７ａと、この上板７ａの両側端から下方に折曲した両側板７ｂ，７ｂ、及びこの両側板７ｂ，７ｂから内向きに上板７ａと平行に折曲したリップ７ｃ，７ｃとを有する断面リップ付き溝形状に形成され、両側板７ｂ，７ｂの回動基端側の一端部にヒンジピン枢支孔１４，１４を設け、両側板７ｂ，７ｂの回動先端側の他端部に第１，２支持ピン枢支孔１５，１６を設けている。この支持部材７は、両側板７ｂ，７ｂのヒンジピン枢支孔１４，１４を取付部材５のヒンジピン枢支孔１２，１２に合わせてこれら枢支孔１４，１２にヒンジピン６を挿通することによって取付部材５に対しヒンジピン６まわりに上下方向に回動自在に枢支連結される。取付部材５の両側板５ｂ，５ｂのストッパーピン支持孔１３，１３には、ストッパーピン１７がヒンジピン６と平行に挿通固定される。
【００１７】
図４に示すように、リフト部材１１は、原稿圧着板２の回動基端側に図外のビス等で取り付けられる金属製の上板１１ａと、この上板１１ａの両端から下方に折曲した両側板１１ｂ，１１ｂとを有する断面溝形状に形成され、図１に示すごとく回動基端側の両側板１１ｂ，１１ｂ間に作動部材８がビス１８等で一体的に結合固定される。その作動部材８は耐摩耗性に優れるポリアセタール系樹脂やポリアミド系樹脂などで成形され、上下方向に縦長の垂直溝１９と、この垂直溝１９の下端に直交状に連通してリフト部材１１の回動基端側方向へ水平に延設する横長の水平溝２０がそれぞれ設けられている。
【００１８】
図１に示すように、支持部材７に対しリフト部材１１は、上板１１ａが支持部材７の上板７ａの上側に、両側板１１ｂ，１１ｂが支持部材７の両側板７ｂ，７ｂの外側にそれぞれ重なり合い、かつ作動部材８が支持部材７の回動先端側の両側板７ｂ，７ｂ間にはまり込むとともに、回動先端部が原稿圧着板２の回動基端側方向へ向くように、互いに合致する第１支持ピン枢支孔１５と垂直溝１９に第１支持ピン９を，第２支持ピン枢支孔１６と水平溝２０に第２支持ピン１０をそれぞれ挿通することによって支持部材７の回動先端側に第１，２支持ピン９，１０まわりに上下方向に回動自在に枢支連結される。
【００１９】
リフト部材１１の両側板１１ｂ，１１ｂの回動基端側には、図４に示すように、リフト部材１１の回動時にこれの回動を許容するよう第１支持ピン９及び第２支持ピン１０のそれぞれの両端が遊嵌する開口２１，２１が形成されている。したがって、リフト部材１１はこれの回動を第１，２支持ピン９，１０によって何等阻害されることなく、補強用の両側板１１ｂ，１１ｂを備えることができて強度を確保できる。その際、開口２１は作動部材８の垂直溝１９及び水平溝２０と略同一の垂直溝２１ａ及び水平溝２１ｂからなるＬ形状に形成すれば、両側板１１ｂ，１１ｂへの開口面積を可及的に少なくすることができるため、リフト部材１１の両側板１１ｂ，１１ｂによる補強を確保する上でより有利となる。
【００２０】
図１に示すように、支持部材７の両側板７ｂ，７ｂ間のリップ７ｃ，７ｃ上には耐摩耗性に優れるポリアセタール系樹脂やポリアミド系樹脂などで成形された一対の筒形の第１，２スライダー２２，２３が原稿圧着板２の回動半径方向に摺動自在にはめ込まれる。そして、この支持部材７内のスライダー２２，２３間に、原稿圧着板２を取り付けたリフト部材１１を支持部材７と重なり合う方向へ回動付勢する圧縮コイルばね２４が介入される。この圧縮コイルばね２４は支持部材７内において第１，２スライダー２２，２３を介してストッパーピン１７と作動部材８との間に装着される。
【００２１】
第１スライダー２２の背面には、図１に示すように、ストッパーピン１７に当接するカム部２５が形成される。このカム部２５は垂直面２５ａとこの垂直面２５ａの下部に設けた斜面２５ｂを有する形に形成している。図１のように原稿圧着板２が水平姿勢に全閉した状態においては、ストッパーピン１７が第１スライダー２２のカム部２５の垂直面２５ａと当接しており、この垂直面２５ａは斜面２５ｂよりもストッパーピン１７の軸心側に位置しているので、これによって、カム部２５及び圧縮コイルばね２４を介して支持部材７は原稿圧着板２を閉じ方向に回動付勢させる。この状態から原稿圧着板２を開いてゆくと、支持部材７はリフト部材１１と共にヒンジピン６まわりに回動して共に開かれる。その際、図２、図３のようにストッパーピン１７はカム部２５の、ストッパーピン１７の軸心より徐々に遠くなる斜面２５ｂを滑り、第１スライダー２２は圧縮コイルばね２４によりストッパーピン１７に近付く方向へ押されて摺動し、圧縮コイルばね２４は少し伸びるようになっている。
【００２２】
次に、上記構成の原稿圧着板開閉装置の作動について説明する。
原稿圧着板２が水平姿勢に全閉した状態を図１に示している。この状態では、圧縮コイルばね２４は圧縮した状態にあり、第１支持ピン９は垂直溝１９内の上端部に、第２支持ピン１０は垂直溝２０内の下端部すなわち水平溝２０内のリフト部材回動先端側方向の一端部寄りにそれぞれ位置している。
【００２３】
いま、原稿が紙のように薄い薄物原稿を圧着する場合には、原稿圧着板２は、リフト部材１１と取付部材５の間に介在した圧縮コイルばね２４の弾力によって開閉動作の全行程にわたって反転することなく操作され、ストッパーピン１７にカム部２６の斜面２５ｂに当接するスライダー２２とリフト部材１１を介して支持部材７に作用している圧縮コイルばね２４の弾力によって所定の開き角度で安定よく停止保持される。
【００２４】
図２に示すように、原稿Ｐが本のように厚物原稿の場合には、原稿圧着板２を閉じてその一部を厚物原稿Ｐに当てがい、原稿圧着板２の手前側を若干強く下方へ押すと、リフト部材１１が作動部材８でスライダー２３を介して圧縮コイルばね２４を押圧し、その弾力に抗して第１，２支持ピン９，１０まわりにＢ矢視方向に反転し、原稿圧着板２がその回動基端側をリフトアップされて厚物原稿Ｐの上部に対して平行となり、厚物原稿Ｐ全体を装置本体１上に均等な圧力で圧着する。
【００２５】
リフト部材１１が第１，２支持ピン９，１０回りに反転するとき、リフト部材１１と共に作動部材８は垂直溝１９を第１支持ピン９の上方（Ｙ矢視方向）へスライドする上昇移動と、これと同時に水平溝２０を第２支持ピン１０よりリフト部材１１の回動先端側方向Ｘへスライドする水平移動との複合により楕円軌道を描きながら反転する。図２に示す厚物原稿Ｐよりも更に厚い厚物原稿Ｐ´を圧着する場合は、図３に示すように、リフト部材１１の反転時に作動部材８の垂直溝１９は第１支持ピン９より更にＹ方向へ上昇移動し、水平溝２０は第２支持ピン１０より更にリフト部材回動先端側方向Ｘへ水平移動することになる。
【００２６】
このようにリフト部材１１が厚物原稿Ｐ，Ｐ´の厚みに見合った高さにまで反転してリフトする時に、リフト部材１１と共に作動部材８の垂直溝１９が第１支持ピン９に沿って上昇移動するため、この上昇移動分だけリフト部材１１の反転角を少なくすることができる。リフト部材１１の反転角が少なくて足りることにより、リフト部材１１の反転に伴い原稿圧着板２がこれの回動基端側方向Ａへ厚物原稿ＰまたはＰ´を引き摺るのを可及的に抑制することができる。したがって、複写位置のずれを防止でき、また引き摺り防止用凸部３３がある場合はその背表紙Ｑが損傷することも防止できる。
【００２７】
【発明の効果】
本発明によれば、厚物原稿を圧着する時にリフト部材の反転角をできる限り小さくて足りるようにしてあるので、厚物原稿の引き摺り、複写の位置ずれを抑制でき、また背表紙の損傷を防止できて有利である。
【図面の簡単な説明】
【図１】本発明に係る原稿圧着板開閉装置を全閉状態で示す縦断側面図である。
【図２】図１の原稿圧着板開閉装置を厚物原稿圧着状態で示す縦断側面図である。
【図３】図２の厚物原稿よりも更に厚い厚物原稿を圧着状態で示す縦断側面図である。
【図４】図１の原稿圧着板開閉装置の分解斜視図である。
【図５】従来例の原稿圧着板開閉装置を厚物原稿圧着状態で示す縦断側面図である。
【符号の説明】
１  装置本体
２  原稿圧着板
３  原稿圧着板開閉装置
５  取付部材
６  ヒンジピン
７  支持部材
８  作動部材
９  第１支持ピン
１０  第２支持ピン
１１  リフト部材
１１ｂ，１１ｂ  リフト部材の両側板
１９  垂直溝
２０  水平溝
２１  開口
２１ａ  開口の垂直溝
２１ｂ  開口の水平溝
２４  圧縮コイルばね
【図１】
0003679983.tif 000002
【図２】
0003679983.tif 000003
【図３】
0003679983.tif 000004
【図４】
0003679983.tif 000005
【図５】
0003679983.tif 000006